(57)【要約】【課題】初期化期間を設けることなく放電不良の発生を抑制し、画質の低下を防止する。【解決手段】第１方向に延びる走査電極及び維持電極からなる複数の表示電極対と、第２方向に延びる複数のデータ電極と、表示電極対とデータ電極とが交差する部分に形成された放電セルを有する画素とを含むプラズマディスプレイパネル１０と、制御部１００とを備える。複数のサブフィールドは、初期化期間を含まず、書込み期間を含む。特定サブフィールド以外の他のサブフィールドは、維持期間を書込み期間の後に含む。特定サブフィールドは、維持期間を含まないか、又は維持放電が発生しない維持期間を含むことにより、他のサブフィールドより低い輝度重みを有する。制御部は、特定サブフィールドにおいて、第１放電セルと第２放電セルとが同時に点灯しないように、及び／又は、第１放電セルと第３放電セルとが同時に点灯しないように、駆動部を制御する。【選択図】図１
2012242593.tif 000002
【特許請求の範囲】
【請求項１】
入力された映像信号に基づく映像を表示するプラズマディスプレイ装置であって、
それぞれ第１方向に延びる走査電極及び維持電極からなる複数の表示電極対と、前記第１方向に交差する第２方向に延びる複数のデータ電極と、前記表示電極対と前記データ電極とが交差する部分に形成された放電セルを有する画素と、を含むプラズマディスプレイパネルと、
１フィールド期間に含まれる複数のサブフィールドごとに輝度重みがそれぞれ異なるように、前記走査電極、前記維持電極及び前記データ電極のうち少なくとも１つの電極に駆動電圧を印加する駆動部と、
前記駆動部を制御する制御部と、
を備え、
前記複数のサブフィールドは、いずれも、前記走査電極と前記データ電極及び前記維持電極との間に駆動電圧を印加して前記放電セル内の電荷を活性化させるための初期化放電を発生させる初期化期間を含まず、所定の書込み期間を含み、
前記複数のサブフィールドのうち特定サブフィールド以外の他のサブフィールドは、いずれも、所定の維持期間を前記書込み期間の後に含み、
前記駆動部は、前記書込み期間において、前記走査電極に走査パルスを印加するとともに前記データ電極に書込みパルスを印加して前記放電セルで選択的に書込み放電を発生させ、
前記駆動部は、前記維持期間において、前記走査電極および前記維持電極に前記輝度重みに応じた維持パルスを交互に印加して、前記書込み期間において選択された放電セルで維持放電を発生させ、
前記特定サブフィールドは、前記維持期間を含まないか、又は前記駆動部により前記維持パルスが印加されずに前記維持放電が発生しない維持期間を含むことにより、前記維持期間を含む前記他のサブフィールドより低い前記輝度重みを有し、
前記プラズマディスプレイパネルは、第１画素と、前記第１方向において前記第１画素に隣接する第２画素と、前記第２方向において前記第１画素に隣接する第３画素と、を含み、
前記第１画素は、第１放電セルを含み、
前記第２画素は、前記第１方向において前記第１放電セルに隣接する第２放電セルを含み、
前記第３画素は、前記第２方向において前記第１放電セルに隣接する第３放電セルを含み、
前記制御部は、前記特定サブフィールドにおいて、前記第１放電セルと前記第２放電セルとが同時に点灯しないように、及び／又は、前記第１放電セルと前記第３放電セルとが同時に点灯しないように、前記駆動部を制御することを特徴とするプラズマディスプレイ装置。
【請求項２】
前記プラズマディスプレイパネルに含まれる前記画素は、前記第１方向及び前記第２方向にマトリクス状に配列され、
前記制御部は、
前記映像信号に対して誤差拡散処理を行う誤差拡散処理部と、
前記誤差拡散処理部による前記誤差拡散処理後に、前記特定サブフィールドにおいて、前記マトリクス状に配列された前記画素から選択された補正対象画素の前記映像信号をゼロに補正して前記補正対象画素を消灯させる間引き処理を行う間引き処理部と、
を含み、
前記間引き処理部は、前記間引き処理として、前記マトリクス状に配列された前記画素から市松状に選択された画素を前記補正対象画素とする第１間引き処理と、前記マトリクス状に配列された前記画素のうち、前記第１方向に配列された画素列が前記第２方向に１列おきに選択された選択画素列に含まれる画素を前記補正対象画素とする第２間引き処理と、のいずれかを行うことを特徴とする請求項１に記載のプラズマディスプレイ装置。
【請求項３】
前記制御部は、前記映像信号のレベルを所定幅だけ増大補正して前記誤差拡散処理部に出力する階調補正部をさらに含み、
前記誤差拡散処理部は、前記階調補正部により増大補正された前記映像信号に対して前記誤差拡散処理を行うことを特徴とする請求項２に記載のプラズマディスプレイ装置。
【請求項４】
前記第１方向に配列され、前記第１画素及び前記第２画素を含む画素からなる画素列を第１画素列とし、
前記第１方向に配列され、前記第３画素を含む画素からなる画素列を第２画素列とし、
前記誤差拡散処理部は、前記誤差拡散処理後において、前記第２方向に互いに隣接し、前記第１画素列の画素と前記第２画素列の画素とからなる一対の前記画素が、同時に点灯又は消灯となるように、前記誤差拡散処理を行うことを特徴とする請求項２または３に記載のプラズマディスプレイ装置。
【請求項５】
前記間引き処理部は、前記特定サブフィールドにおける前記各画素の階調が予め設定された特定階調以上か否かを判定する第１判定部を含み、
前記間引き処理部は、前記階調が前記特定階調以上と前記第１判定部により判定された前記画素については、前記第１間引き処理及び前記第２間引き処理のいずれも行わないことを特徴とする請求項２ないし４のいずれか１項に記載のプラズマディスプレイ装置。
【請求項６】
前記映像信号の平均階調を算出し、算出した前記平均階調が予め設定された閾値以上か否かを判定する第２判定部をさらに備え、
前記間引き処理部は、前記平均階調が前記閾値以上と前記第２判定部により判定されると前記第１間引き処理を行い、前記平均階調が前記閾値未満と前記第２判定部により判定されると前記第２間引き処理を行うことを特徴とする請求項２ないし４のいずれか１項に記載のプラズマディスプレイ装置。
【請求項７】
１または複数の画素が点灯しない状態の継続時間を計時し、計時した前記継続時間が予め設定された設定時間を超えるか否かを判定する第３判定部をさらに備え、
前記間引き処理部は、前記継続時間が前記設定時間を超えると前記第３判定部により判定されると前記第２間引き処理を行い、前記継続時間が前記設定時間以下と前記第３判定部により判定されると前記第１間引き処理を行うことを特徴とする請求項２ないし４のいずれか１項に記載のプラズマディスプレイ装置。
【請求項８】
前記第１画素は、前記第１方向又は前記第２方向において前記第１放電セルに隣接する第４放電セルを含み、
前記制御部は、前記特定サブフィールドにおいて、前記第１放電セルと前記第４放電セルとが同時に点灯しないように、前記駆動部を制御することを特徴とする請求項１ないし７のいずれか１項に記載のプラズマディスプレイ装置。
【請求項９】
前記第１画素は、それぞれ予め定められ互いに異なる設定色に対応し、前記第１放電セルを含むＮ（Ｎは２以上の整数）個の放電セルを有し、
前記第３画素は、それぞれ前記設定色に対応し、前記第３放電セルを含むＮ個の放電セルを有し、
前記第１放電セルと前記第３放電セルとは、同一色に対応することを特徴とする請求項１ないし８のいずれか１項に記載のプラズマディスプレイ装置。
【請求項１０】
それぞれ第１方向に延びる走査電極及び維持電極からなる複数の表示電極対と、前記第１方向に交差する第２方向に延びる複数のデータ電極と、前記表示電極対と前記データ電極とが交差する部分に形成された放電セルを有する画素と、を含むプラズマディスプレイパネルを駆動するプラズマディスプレイパネルの駆動方法であって、
前記プラズマディスプレイパネルは、第１画素と、前記第１方向において前記第１画素に隣接する第２画素と、前記第２方向において前記第１画素に隣接する第３画素と、を含み、前記第１画素は、第１放電セルを含み、前記第２画素は、前記第１方向において前記第１放電セルに隣接する第２放電セルを含み、前記第３画素は、前記第２方向において前記第１放電セルに隣接する第３放電セルを含み、
１フィールド期間に含まれる複数のサブフィールドごとに輝度重みがそれぞれ異なるように、前記走査電極、前記維持電極及び前記データ電極のうち少なくとも１つの電極に駆動部により駆動電圧を印加し、
前記複数のサブフィールドは、いずれも、前記走査電極と前記データ電極及び前記維持電極との間に駆動電圧を印加して前記放電セル内の電荷を活性化させるための初期化放電を発生させる初期化期間を含まず、所定の書込み期間を含むように構成し、
前記複数のサブフィールドのうち特定サブフィールド以外の他のサブフィールドは、いずれも、所定の維持期間を前記書込み期間の後に含むように構成し、
前記駆動部により、前記書込み期間において、前記走査電極に走査パルスを印加するとともに前記データ電極に書込みパルスを印加して前記放電セルで選択的に書込み放電を発生させ、
前記駆動部により、前記維持期間において、前記走査電極および前記維持電極に前記輝度重みに応じた維持パルスを交互に印加して、前記書込み期間において選択された放電セルで維持放電を発生させ、
前記特定サブフィールドは、前記維持期間を含まないか、又は前記駆動部により前記維持パルスが印加されずに前記維持放電が発生しない維持期間を含むことにより、前記維持期間を含む前記他のサブフィールドより低い前記輝度重みを有するように構成し、
前記特定サブフィールドにおいて、前記第１放電セルと前記第２放電セルとが同時に点灯しないように、及び／又は、前記第１放電セルと前記第３放電セルとが同時に点灯しないように、前記駆動部を制御することを特徴とするプラズマディスプレイパネルの駆動方法。
【発明の詳細な説明】
【技術分野】
【０００１】
本発明は、交流面放電型のプラズマディスプレイ装置およびプラズマディスプレイパネルの駆動方法に関するものである。
【背景技術】
【０００２】
プラズマディスプレイパネル（以下、「パネル」と言う）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間、書込み期間、維持期間及び消去期間を有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作、消去期間には消去動作が行われる。
【０００４】
初期化動作は、全ての放電セルにおいて初期化放電を発生し、続く書込み動作が好適に行われるように放電セル内の電荷を活性化させる動作である。書込み動作は、表示する画像に応じて放電セルで選択的に書込み放電を発生し壁電荷を形成する動作である。維持動作は、表示電極対に交互に維持パルスを印加して維持放電を発生させ、対応する放電セルの蛍光体層を発光させる動作である。消去動作は、書込み放電を発生した放電セルで選択的に消去放電を発生して壁電荷の履歴を消去し、続く書込み放電に必要な壁電荷を各電極に形成する動作である。
【０００５】
維持期間における維持動作では、サブフィールド毎に予め決められた輝度重みに応じた数の維持パルスにより維持パルス数だけ維持放電を繰り返し発生させて放電セルを発光させており、これによって階調表示を行っている。従来、維持放電による最小の輝度重みよりさらに低い輝度重みを有するサブフィールドを備えることで、低階調表示を向上させたプラズマディスプレイ装置が提案されている（特許文献１参照）。この特許文献１では、維持パルスを印加しないことにより、選択的に書込み放電を発生した放電セルの発光光量を低下させることで、低階調表示を向上させている。
【０００６】
一方、階調表示に関係しない発光を極力減らし、サブフィールド法において最も低い階調である黒を表示する際の輝度を下げて、コントラストを向上させることが求められている。そのためには、全ての放電セルにおいて初期化放電を発生する初期化期間を設けないようにすればよい。しかしながら、初期化期間を設けない場合には、放電セル内の電荷を活性化させる効果がなくなるため、書込み放電が好適に行われずに、放電不良が発生する可能性が高くなる。
【０００７】
放電セル内の電荷を活性化させる効果は、書込み放電や維持放電の発光によっても得られるが、黒を表示している放電セルでは書込み放電や維持放電の発光が起こらない。したがって、単に初期化期間を設けないだけでは、黒を長く表示している放電セルほど、放電不良発生の可能性が高くなる。このように、初期化期間を設けない場合には、放電不良の発生を抑制することが求められる。
【先行技術文献】
【特許文献】
【０００８】
【特許文献１】特開２００５−１０７４９５号公報
【発明の概要】
【発明が解決しようとする課題】
【０００９】
放電不良発生を抑制するためには、例えば上記特許文献１に記載のような、維持放電による最小の輝度重みよりさらに低い輝度重みを有するサブフィールドを備えることが考えられる。このような輝度重みが低いサブフィールドを備えることにより、放電セルの発光確率を高めることができる。放電セルの発光確率が高くなると、その発光により放電セル内の電荷を活性化させる効果を得ることができ、その結果、放電不良の発生を抑制することが可能となる。
【００１０】
しかしながら、発明者らの実験によると、例えば上記特許文献１に記載のように、維持パルスを印加しないことにより、選択的に書込み放電を発生した放電セルの発光光量を低下させた場合には、隣接する画素が同時に点灯すると目立つ輝点が発生し、画質が低下することが明らかとなった。
【００１１】
本発明は、上記課題を解決するもので、初期化期間を設けることなく放電不良の発生を抑制し、しかも画質の低下を防止することができるプラズマディスプレイ装置およびプラズマディスプレイパネルの駆動方法を提供することを目的とする。
【課題を解決するための手段】
【００１２】
本発明の一局面に係るプラズマディスプレイ装置は、入力された映像信号に基づく映像を表示するプラズマディスプレイ装置であって、それぞれ第１方向に延びる走査電極及び維持電極からなる複数の表示電極対と、前記第１方向に交差する第２方向に延びる複数のデータ電極と、前記表示電極対と前記データ電極とが交差する部分に形成された放電セルを有する画素と、を含むプラズマディスプレイパネルと、１フィールド期間に含まれる複数のサブフィールドごとに輝度重みがそれぞれ異なるように、前記走査電極、前記維持電極及び前記データ電極のうち少なくとも１つの電極に駆動電圧を印加する駆動部と、前記駆動部を制御する制御部と、を備え、前記複数のサブフィールドは、いずれも、前記走査電極と前記データ電極及び前記維持電極との間に駆動電圧を印加して前記放電セル内の電荷を活性化させるための初期化放電を発生させる初期化期間を含まず、所定の書込み期間を含み、前記複数のサブフィールドのうち特定サブフィールド以外の他のサブフィールドは、いずれも、所定の維持期間を前記書込み期間の後に含み、前記駆動部は、前記書込み期間において、前記走査電極に走査パルスを印加するとともに前記データ電極に書込みパルスを印加して前記放電セルで選択的に書込み放電を発生させ、前記駆動部は、前記維持期間において、前記走査電極および前記維持電極に前記輝度重みに応じた維持パルスを交互に印加して、前記書込み期間において選択された放電セルで維持放電を発生させ、前記特定サブフィールドは、前記維持期間を含まないか、又は前記駆動部により前記維持パルスが印加されずに前記維持放電が発生しない維持期間を含むことにより、前記維持期間を含む前記他のサブフィールドより低い前記輝度重みを有し、前記プラズマディスプレイパネルは、第１画素と、前記第１方向において前記第１画素に隣接する第２画素と、前記第２方向において前記第１画素に隣接する第３画素と、を含み、前記第１画素は、第１放電セルを含み、前記第２画素は、前記第１方向において前記第１放電セルに隣接する第２放電セルを含み、前記第３画素は、前記第２方向において前記第１放電セルに隣接する第３放電セルを含み、前記制御部は、前記特定サブフィールドにおいて、前記第１放電セルと前記第２放電セルとが同時に点灯しないように、及び／又は、前記第１放電セルと前記第３放電セルとが同時に点灯しないように、前記駆動部を制御する。
【００１３】
この構成によれば、プラズマディスプレイパネルは、それぞれ第１方向に延びる走査電極及び維持電極からなる複数の表示電極対と、第１方向に交差する第２方向に延びる複数のデータ電極と、表示電極対とデータ電極とが交差する部分に形成された放電セルを有する画素と、を含む。駆動部は、１フィールド期間に含まれる複数のサブフィールドごとに輝度重みがそれぞれ異なるように、走査電極、維持電極及びデータ電極のうち少なくとも１つの電極に駆動電圧を印加する。制御部は、駆動部を制御する。複数のサブフィールドは、いずれも、走査電極とデータ電極及び維持電極との間に駆動電圧を印加して放電セル内の電荷を活性化させるための初期化放電を発生させる初期化期間を含まず、所定の書込み期間を含む。したがって、コントラストを向上することができる。
【００１４】
複数のサブフィールドのうち特定サブフィールド以外の他のサブフィールドは、いずれも、所定の維持期間を書込み期間の後に含む。駆動部は、書込み期間において、走査電極に走査パルスを印加するとともにデータ電極に書込みパルスを印加して放電セルで選択的に書込み放電を発生させる。駆動部は、維持期間において、走査電極および維持電極に輝度重みに応じた維持パルスを交互に印加して、書込み期間において選択された放電セルで維持放電を発生させる。特定サブフィールドは、維持期間を含まないか、又は駆動部により維持パルスが印加されずに維持放電が発生しない維持期間を含むことにより、維持期間を含む他のサブフィールドより低い輝度重みを有する。したがって、維持放電が発生する維持期間を含むサブフィールドのみを備える場合に比べて、放電セルの発光確率を高めることができる。放電セルの発光確率が高くなると、黒を長く表示する放電セルが低減されるため、放電不良の発生を抑制することができる。
【００１５】
プラズマディスプレイパネルは、第１画素と、第１方向において第１画素に隣接する第２画素と、第２方向において第１画素に隣接する第３画素と、を含む。第１画素は、第１放電セルを含む。第２画素は、第１方向において第１放電セルに隣接する第２放電セルを含む。第３画素は、第２方向において第１放電セルに隣接する第３放電セルを含む。制御部は、特定サブフィールドにおいて、第１放電セルと第２放電セルとが同時に点灯しないように、及び／又は、第１放電セルと第３放電セルとが同時に点灯しないように、駆動部を制御する。したがって、目立つ輝点が発生するのを防止することができ、その結果、画質の低下を防止することができる。
【００１６】
上記のプラズマディスプレイ装置において、前記プラズマディスプレイパネルに含まれる前記画素は、前記第１方向及び前記第２方向にマトリクス状に配列され、前記制御部は、前記映像信号に対して誤差拡散処理を行う誤差拡散処理部と、前記誤差拡散処理部による前記誤差拡散処理後に、前記特定サブフィールドにおいて、前記マトリクス状に配列された前記画素から選択された補正対象画素の前記映像信号をゼロに補正して前記補正対象画素を消灯させる間引き処理を行う間引き処理部と、を含み、前記間引き処理部は、前記間引き処理として、前記マトリクス状に配列された前記画素から市松状に選択された画素を前記補正対象画素とする第１間引き処理と、前記マトリクス状に配列された前記画素のうち、前記第１方向に配列された画素列が前記第２方向に１列おきに選択された選択画素列に含まれる画素を前記補正対象画素とする第２間引き処理と、のいずれかを行うことが好ましい。
【００１７】
この構成によれば、プラズマディスプレイパネルに含まれる画素は、第１方向及び第２方向にマトリクス状に配列されている。制御部は、誤差拡散処理部と、間引き処理部と、を含む。誤差拡散処理部は、映像信号に対して誤差拡散処理を行う。間引き処理部は、誤差拡散処理部による誤差拡散処理後に、特定サブフィールドにおいて、マトリクス状に配列された画素から選択された補正対象画素の映像信号をゼロに補正して補正対象画素を消灯させる間引き処理を行う。間引き処理部は、間引き処理として、マトリクス状に配列された画素から市松状に選択された画素を補正対象画素とする第１間引き処理と、マトリクス状に配列された画素のうち、第１方向に配列された画素列が第２方向に１列おきに選択された選択画素列に含まれる画素を補正対象画素とする第２間引き処理と、のいずれかを行う。
【００１８】
マトリクス状に配列された画素から市松状に選択された画素を補正対象画素とする第１間引き処理が行われると、特定サブフィールドにおいて、第１放電セルと第２放電セルとが同時に点灯せず、かつ、第１放電セルと第３放電セルとが同時に点灯しない。また、マトリクス状に配列された画素のうち、第１方向に配列された画素列が第２方向に１列おきに選択された選択画素列に含まれる画素を補正対象画素とする第２間引き処理が行われると、特定サブフィールドにおいて、第１放電セルと第３放電セルとが同時に点灯しない。したがって、目立つ輝点が発生するのを防止することができ、その結果、画質の低下を防止することができる。
【００１９】
上記のプラズマディスプレイ装置において、前記制御部は、前記映像信号のレベルを所定幅だけ増大補正して前記誤差拡散処理部に出力する階調補正部をさらに含み、前記誤差拡散処理部は、前記階調補正部により増大補正された前記映像信号に対して前記誤差拡散処理を行うことが好ましい。
【００２０】
この構成によれば、制御部は、映像信号のレベルを所定幅だけ増大補正して誤差拡散処理部に出力する階調補正部をさらに含む。誤差拡散処理部は、階調補正部により増大補正された映像信号に対して誤差拡散処理を行う。ここで、誤差拡散処理後に、間引き処理部により、補正対象画素の映像信号をゼロに補正して補正対象画素を消灯させる間引き処理が行われると、映像の輝度が低下する。しかし、この構成では、階調補正部により映像信号のレベルを所定幅だけ増大補正し、誤差拡散処理部は、階調補正部により増大補正された映像信号に対して誤差拡散処理を行う。したがって、誤差拡散処理後に、間引き処理部により間引き処理が行われたときに生じる映像の輝度低下を抑制することができる。
【００２１】
上記のプラズマディスプレイ装置において、前記第１方向に配列され、前記第１画素及び前記第２画素を含む画素からなる画素列を第１画素列とし、前記第１方向に配列され、前記第３画素を含む画素からなる画素列を第２画素列とし、前記誤差拡散処理部は、前記誤差拡散処理後において、前記第２方向に互いに隣接し、前記第１画素列の画素と前記第２画素列の画素とからなる一対の前記画素が、同時に点灯又は消灯となるように、前記誤差拡散処理を行うことが好ましい。
【００２２】
この構成によれば、第１方向に配列され、第１画素及び第２画素を含む画素からなる画素列を第１画素列とし、第１方向に配列され、第３画素を含む画素からなる画素列を第２画素列とする。誤差拡散処理部は、誤差拡散処理後において、第２方向に互いに隣接し、第１画素列の画素と第２画素列の画素とからなる一対の画素が、同時に点灯又は消灯となるように、誤差拡散処理を行う。したがって、誤差拡散処理後において、第１画素列の点灯画素数は第２画素列の点灯画素数に等しくなっている。そして、間引き処理部が、誤差拡散処理後に第１間引き処理を行うと、第１画素列の点灯画素及び第２画素列の点灯画素の半分が消灯するため、第１画素列及び第２画素列の合計の点灯画素数は、第１間引き処理の前に比べて、半分になる。また、間引き処理部が、誤差拡散処理後に第２間引き処理を行うと、第１画素列及び第２画素列の一方の点灯画素が全て消灯するため、第１画素列及び第２画素列の合計の点灯画素数は、第１間引き処理と同様に、第２間引き処理の前に比べて、半分になる。このように、第１間引き処理及び第２間引き処理のいずれを行っても、間引き処理の前に比べて、第１画素列及び第２画素列における点灯画素数は、半分になる。したがって、間引き処理を行った後で、点灯画素数が多く残り過ぎて、画像が本来の明るさより明るくなり過ぎたり、点灯画素数が少なくなり過ぎて、画像が本来の明るさより暗くなり過ぎることがないという利点がある。
【００２３】
上記のプラズマディスプレイ装置において、前記間引き処理部は、前記特定サブフィールドにおける前記各画素の階調が予め設定された特定階調以上か否かを判定する第１判定部を含み、前記間引き処理部は、前記階調が前記特定階調以上と前記第１判定部により判定された前記画素については、前記第１間引き処理及び前記第２間引き処理のいずれも行わないことが好ましい。
【００２４】
この構成によれば、間引き処理部は、特定サブフィールドにおける各画素の階調が予め設定された特定階調以上か否かを判定する第１判定部を含む。間引き処理部は、階調が特定階調以上と第１判定部により判定された画素については、第１間引き処理及び第２間引き処理のいずれも行わない。階調が特定階調以上の画素は、特定サブフィールドにおいて間引き処理を行った場合と行わない場合とで、その輝度の変化が目立たない。また、階調が特定階調以上の画素は、特定サブフィールドにおける輝点が目立たない。したがって、階調が特定階調以上の画素については、間引き処理を行わなくても画質が低下することはない。
【００２５】
上記のプラズマディスプレイ装置において、前記映像信号の平均階調を算出し、算出した前記平均階調が予め設定された閾値以上か否かを判定する第２判定部をさらに備え、前記間引き処理部は、前記平均階調が前記閾値以上と前記第２判定部により判定されると前記第１間引き処理を行い、前記平均階調が前記閾値未満と前記第２判定部により判定されると前記第２間引き処理を行うことが好ましい。
【００２６】
この構成によれば、映像信号の平均階調を算出し、算出した平均階調が予め設定された閾値以上か否かを判定する第２判定部をさらに備える。間引き処理部は、平均階調が閾値以上と第２判定部により判定されると第１間引き処理を行い、平均階調が閾値未満と第２判定部により判定されると第２間引き処理を行う。
【００２７】
したがって、第１間引き処理では、特定サブフィールドにおいて、第１放電セルと第２放電セルとが同時に点灯しないように、及び、第１放電セルと第３放電セルとが同時に点灯しないように、駆動部を制御する。その結果、画質の低下をより抑えることができる。この場合、平均階調が閾値以上であるため、放電セルの発光確率が高いことから、第１放電セルと第２放電セルとが同時に点灯せず、かつ、第１放電セルと第３放電セルとが同時に点灯しなくても、放電不良発生が増大することはない。
【００２８】
一方、第２間引き処理では、特定サブフィールドにおいて、第１放電セルと第３放電セルとが同時に点灯しないように、駆動部を制御する。この場合、第１放電セルと第２放電セルとが同時に点灯することはあり得る。したがって、黒を表示する放電セルが低減されることから、放電セル内の電荷を活性化する効果を得やすくなる。
【００２９】
上記のプラズマディスプレイ装置において、１または複数の画素が点灯しない状態の継続時間を計時し、計時した前記継続時間が予め設定された設定時間を超えるか否かを判定する第３判定部をさらに備え、前記間引き処理部は、前記継続時間が前記設定時間を超えると前記第３判定部により判定されると前記第２間引き処理を行い、前記継続時間が前記設定時間以下と前記第３判定部により判定されると前記第１間引き処理を行うことが好ましい。
【００３０】
この構成によれば、１または複数の画素が点灯しない状態の継続時間を計時し、計時した継続時間が予め設定された設定時間を超えるか否かを判定する第３判定部をさらに備える。間引き処理部は、継続時間が設定時間を超えると第３判定部により判定されると第２間引き処理を行い、継続時間が設定時間以下と第３判定部により判定されると第１間引き処理を行う。点灯しない状態の継続時間が設定時間を超えると、放電不良が発生しやすくなっていると考えられる。第２間引き処理を行うことにより、第１放電セルと第３放電セルとが同時に点灯しないようにして輝点の発生を防止する一方、第１放電セルと第２放電セルとが同時に点灯することはあり得る。したがって、第１間引き処理に比べて、黒を表示する放電セルが低減されることから、放電セル内の電荷を活性化する効果を得やすくなる。一方、点灯しない状態の継続時間が設定時間以下であれば、放電不良が発生しにくいと考えられる。したがって、第１間引き処理を行うことにより、第１放電セルと第２放電セルとが同時に点灯せず、かつ、第１放電セルと第３放電セルとが同時に点灯しないことから、画質の低下をより抑えることができる。
【００３１】
上記のプラズマディスプレイ装置において、前記第１画素は、前記第１方向又は前記第２方向において前記第１放電セルに隣接する第４放電セルを含み、前記制御部は、前記特定サブフィールドにおいて、前記第１放電セルと前記第４放電セルとが同時に点灯しないように、前記駆動部を制御することが好ましい。
【００３２】
この構成によれば、第１画素は、第１方向又は第２方向において第１放電セルに隣接する第４放電セルを含む。制御部は、特定サブフィールドにおいて、第１放電セルと第４放電セルとが同時に点灯しないように、駆動部を制御する。第１方向又は第２方向において第１放電セルに隣接する第４放電セルと第１放電セルとが同時に点灯しないようにすることによって、輝点の発生を確実に防止することができる。
【００３３】
上記のプラズマディスプレイ装置において、前記第１画素は、それぞれ予め定められ互いに異なる設定色に対応し、前記第１放電セルを含むＮ（Ｎは２以上の整数）個の放電セルを有し、前記第３画素は、それぞれ前記設定色に対応し、前記第３放電セルを含むＮ個の放電セルを有し、前記第１放電セルと前記第３放電セルとは、同一色に対応することが好ましい。
【００３４】
この構成によれば、第１画素は、それぞれ予め定められ互いに異なる設定色に対応し、第１放電セルを含むＮ（Ｎは２以上の整数）個の放電セルを有する。第３画素は、それぞれ設定色に対応し、第３放電セルを含むＮ個の放電セルを有する。第１放電セルと第３放電セルとは、同一色に対応する。したがって、第２方向に隣接し同一色に対応する第１放電セルと第３放電セルによる輝点の発生を防止することができる。
【００３５】
本発明の他の局面に係るプラズマディスプレイパネルの駆動方法は、それぞれ第１方向に延びる走査電極及び維持電極からなる複数の表示電極対と、前記第１方向に交差する第２方向に延びる複数のデータ電極と、前記表示電極対と前記データ電極とが交差する部分に形成された放電セルを有する画素と、を含むプラズマディスプレイパネルを駆動するプラズマディスプレイパネルの駆動方法であって、前記プラズマディスプレイパネルは、第１画素と、前記第１方向において前記第１画素に隣接する第２画素と、前記第２方向において前記第１画素に隣接する第３画素と、を含み、前記第１画素は、第１放電セルを含み、前記第２画素は、前記第１方向において前記第１放電セルに隣接する第２放電セルを含み、前記第３画素は、前記第２方向において前記第１放電セルに隣接する第３放電セルを含み、１フィールド期間に含まれる複数のサブフィールドごとに輝度重みがそれぞれ異なるように、前記走査電極、前記維持電極及び前記データ電極のうち少なくとも１つの電極に駆動部により駆動電圧を印加し、前記複数のサブフィールドは、いずれも、前記走査電極と前記データ電極及び前記維持電極との間に駆動電圧を印加して前記放電セル内の電荷を活性化させるための初期化放電を発生させる初期化期間を含まず、所定の書込み期間を含むように構成し、前記複数のサブフィールドのうち特定サブフィールド以外の他のサブフィールドは、いずれも、所定の維持期間を前記書込み期間の後に含むように構成し、前記駆動部により、前記書込み期間において、前記走査電極に走査パルスを印加するとともに前記データ電極に書込みパルスを印加して前記放電セルで選択的に書込み放電を発生させ、前記駆動部により、前記維持期間において、前記走査電極および前記維持電極に前記輝度重みに応じた維持パルスを交互に印加して、前記書込み期間において選択された放電セルで維持放電を発生させ、前記特定サブフィールドは、前記維持期間を含まないか、又は前記駆動部により前記維持パルスが印加されずに前記維持放電が発生しない維持期間を含むことにより、前記維持期間を含む前記他のサブフィールドより低い前記輝度重みを有するように構成し、前記特定サブフィールドにおいて、前記第１放電セルと前記第２放電セルとが同時に点灯しないように、及び／又は、前記第１放電セルと前記第３放電セルとが同時に点灯しないように、前記駆動部を制御する。
【００３６】
この構成によれば、プラズマディスプレイパネルは、それぞれ第１方向に延びる走査電極及び維持電極からなる複数の表示電極対と、第１方向に交差する第２方向に延びる複数のデータ電極と、表示電極対とデータ電極とが交差する部分に形成された放電セルを有する画素と、を含む。また、プラズマディスプレイパネルは、第１画素と、第１方向において第１画素に隣接する第２画素と、第２方向において第１画素に隣接する第３画素と、を含む。第１画素は、第１放電セルを含む。第２画素は、第１方向において第１放電セルに隣接する第２放電セルを含む。第３画素は、第２方向において第１放電セルに隣接する第３放電セルを含む。
【００３７】
そして、この構成によれば、１フィールド期間に含まれる複数のサブフィールドごとに輝度重みがそれぞれ異なるように、走査電極、維持電極及びデータ電極のうち少なくとも１つの電極に駆動部により駆動電圧を印加する。複数のサブフィールドは、いずれも、走査電極とデータ電極及び維持電極との間に駆動電圧を印加して放電セル内の電荷を活性化させるための初期化放電を発生させる初期化期間を含まず、所定の書込み期間を含むように構成する。したがって、コントラストを向上することができる。
【００３８】
複数のサブフィールドのうち特定サブフィールド以外の他のサブフィールドは、いずれも、所定の維持期間を書込み期間の後に含むように構成する。駆動部により、書込み期間において、走査電極に走査パルスを印加するとともにデータ電極に書込みパルスを印加して放電セルで選択的に書込み放電を発生させる。駆動部により、維持期間において、走査電極および維持電極に輝度重みに応じた維持パルスを交互に印加して、書込み期間において選択された放電セルで維持放電を発生させる。特定サブフィールドは、維持期間を含まないか、又は駆動部により維持パルスが印加されずに維持放電が発生しない維持期間を含むことにより、維持期間を含む他のサブフィールドより低い輝度重みを有するように構成する。したがって、維持放電が発生する維持期間を含むサブフィールドのみを備える場合に比べて、放電セルの発光確率を高めることができる。放電セルの発光確率が高くなると、黒を長く表示する放電セルが低減されるため、放電不良の発生を抑制することができる。
【００３９】
特定サブフィールドにおいて、第１放電セルと第２放電セルとが同時に点灯しないように、及び／又は、第１放電セルと第３放電セルとが同時に点灯しないように、駆動部を制御する。したがって、目立つ輝点が発生するのを防止することができ、その結果、画質の低下を防止することができる。
【発明の効果】
【００４０】
本発明によれば、初期化期間を設けることなく放電不良の発生を抑制し、しかも画質の低下を防止することができる。
【図面の簡単な説明】
【００４１】
【図１】本発明の一実施形態におけるプラズマディスプレイ装置の電気的構成を示すブロック図である。
【図２】本発明の一実施形態におけるプラズマディスプレイ装置に用いられるパネルの電極配列及び駆動部を示す図である。
【図３】本発明の一実施形態におけるプラズマディスプレイ装置に用いられるパネルの分解斜視図である。
【図４】本実施形態におけるパネルの駆動を説明する模式図である。
【図５】輝度重みの発光確率を説明する模式図である。
【図６】図１に示される信号処理部の構成を示すブロック図である。
【図７】第１サブフィールド階調補正部の機能を説明する模式図である。
【図８】縦長誤差拡散処理部の構成を示すブロック図である。
【図９】図８に示される縦長誤差拡散処理部の動作を説明するための図である。
【図１０】図８に示される縦長誤差拡散処理部の動作を説明するための図である。
【図１１】図８に示される縦長誤差拡散処理部の動作を説明するための図である。
【図１２】図８に示される縦長誤差拡散処理部の動作を説明するための図である。
【図１３】図８に示される縦長誤差拡散処理部の動作を説明するための図である。
【図１４】第１サブフィールド間引き部の構成を示すブロック図である。
【図１５】第１間引き処理を説明する模式図である。
【図１６】第２間引き処理を説明する模式図である。
【図１７】本実施形態による各画素の点灯状態を模式的に示す図である。
【図１８】比較例による各画素の点灯状態を模式的に示す図である。
【図１９】比較例による各画素の点灯状態を模式的に示す図である。
【図２０】比較例による各画素の点灯状態を模式的に示す図である。
【図２１】比較例による各画素の点灯状態を模式的に示す図である。
【図２２】比較例による各画素の点灯状態を模式的に示す図である。
【図２３】間引き処理の別の形態を概略的に示す模式図である。
【図２４】間引き処理の別の形態を概略的に示す模式図である。
【発明を実施するための形態】
【００４２】
以下、本発明の実施形態におけるプラズマディスプレイ装置について、図面を用いて説明する。
【００４３】
図１は、本発明の一実施形態におけるプラズマディスプレイ装置の電気的構成を示すブロック図である。図２は、本発明の一実施形態におけるプラズマディスプレイ装置に用いられるパネル１０の電極配列及び駆動部を示す図である。図３は、本発明の一実施形態におけるプラズマディスプレイ装置に用いられるパネル１０の分解斜視図である。
【００４４】
図３に示されるように、ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。赤の蛍光体としては、例えば（Ｙ，Ｇｄ）ＢＯ３：Ｅｕを、緑の蛍光体としては、例えばＺｎ２ＳｉＯ４：Ｍｎを、青の蛍光体としては、例えばＢａＭｇＡｌ１０Ｏ１７：Ｅｕをそれぞれ主成分とする蛍光体を用いている。
【００４５】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することによりパネル１０に画像が表示される。なお、パネル１０の構造は上述したものに限られるわけではなく、例えばストライプ状の隔壁を備えたものであってもよい。
【００４６】
図２に示されるように、パネル１０には、行方向（第１方向）に延びるｎ本の走査電極ＳＣ１〜走査電極ＳＣｎを含む走査電極２２およびｎ本の維持電極ＳＵ１〜維持電極ＳＵｎを含む維持電極２３が配列され、列方向（第２方向）に延びるｍ本のデータ電極Ｄ１〜データ電極Ｄｍを含むデータ電極３２が配列されている。そして、１対の走査電極ＳＣｉ（ｉ＝１〜ｎ）および維持電極ＳＵｉからなる表示電極対と、１つのデータ電極Ｄｊ（ｊ＝１〜ｍ）とが、交差した部分に放電セルが形成される。放電セルは放電空間内にｍ×ｎ個形成されている。図２には、赤色、緑色および青色の光を発光する放電セルＤＣｒ，ＤＣｇ，ＤＣｂからなる画素Ｐｘが示されている。
【００４７】
図１に示されるように、本実施形態のプラズマディスプレイ装置は、信号処理部１００、駆動信号生成部１１０、データ書込駆動部１２０、維持駆動部１３０、消去駆動部１４０、黒時間判定部１５０、階調判定部１６０を備える。信号処理部１００は、入力される同期信号Ｓsync及び画像信号Ｒi，Ｇi，ＢiからサブフィールドデータＲsf2，Ｇsf2，Ｂsf2を生成して、同期信号Ｓsyncとともに、駆動信号生成部１１０に出力する。信号処理部１００は後に詳述される。
【００４８】
駆動信号生成部１１０は、信号処理部１００から入力される同期信号Ｓsync及びサブフィールドデータＲsf2，Ｇsf2，Ｂsf2から、書込みデータ及び各駆動部１２０〜１４０を動作させる同期信号を生成する。データ書込駆動部１２０は、書込み期間において、駆動信号生成部１１０からの書込みデータ及び同期信号に基づき、走査電極２２に走査パルスを印加するとともにデータ電極３２に書込みパルスを印加して、発光させるべき放電セルＤＣで選択的に書込み放電を発生し壁電荷を形成する書込み動作を行う。維持駆動部１３０は、駆動信号生成部１１０からの同期信号に基づき、維持期間において、サブフィールド毎に予め決められた輝度重みに応じた数の維持パルスを走査電極２２及び維持電極２３からなる表示電極対２４に交互に印加して、書込み放電を発生した放電セルＤＣで維持放電を発生させて発光させる維持動作を行う。消去駆動部１４０は、駆動信号生成部１１０からの同期信号に基づき、消去期間において、走査電極２２及び維持電極２３からなる表示電極対２４に電圧を印加して、直前の書込み期間において書込み放電を発生した放電セルＤＣのみで選択的に消去放電を発生し、書込み放電またはそれに続く維持放電で形成された壁電荷の履歴を消去し、続く書込み放電に必要な壁電荷を各電極上に形成する消去動作を行う。黒時間判定部１５０は、１画素又は複数の画素について、消灯が継続している時間をカウントし、消灯継続時間が予め設定された設定時間を超えるか否かを判定する。階調判定部１６０は、入力される映像信号の平均階調を算出し、算出した平均階調が予め設定された閾値以上か否かを判定する。本実施形態において、データ書込駆動部１２０、維持駆動部１３０および消去駆動部１４０は、駆動部の一例に対応し、黒時間判定部１５０は、第３判定部の一例に対応し、階調判定部１６０は、第２判定部の一例に対応する。
【００４９】
図４は、本実施形態におけるパネル１０の駆動を説明する模式図である。プラズマディスプレイ装置は、サブフィールド法、すなわち１フィールドを複数のサブフィールドに分割し、サブフィールド毎に各放電セルの発光・非発光を制御することによって、映像をパネル１０に表示する。
【００５０】
駆動信号生成部１１０により生成されるサブフィールドの構成は、図４に示されるように、例えば、１フィールドを第１サブフィールドＳＦ１、・・・、第８サブフィールドＳＦ８の８個のサブフィールドに分割し、各サブフィールドはそれぞれ、例えばｐ、１、２、４、８、１６、３２、６４の輝度重みを持つ。但し、ｐ＜１である。図４に示されるように、いずれのサブフィールドでも、初期化期間は設けられていない。また、先頭の第１サブフィールドＳＦ１では維持期間が設けられておらず、それ以降の第２〜第８サブフィールドＳＦ２〜ＳＦ８では維持期間が設けられている。なお、本発明は、上記のサブフィールド数、輝度重み等のサブフィールド構成に限定されるものではない。
【００５１】
図５は、輝度重みｐの発光確率を説明する模式図である。図５を用いて、輝度重みｐが説明される。
【００５２】
図５におけるレベルＬ１は、図４に示される駆動における第２サブフィールドＳＦ２が持つ輝度重み１の明るさに相当する。つまり、入力信号のレベルがレベルＬ１以上のときに、輝度重み１を持つ第２サブフィールドＳＦ２の発光確率が１００％となり、入力信号のレベルがレベルＬ１より低くなると、そのレベルに応じて発光確率も低くなる。
【００５３】
一方、図５におけるレベルＬ０は、図４に示される駆動における第１サブフィールドＳＦ１が持つ最小の輝度重みｐの明るさに相当する。つまり、入力信号のレベルがレベルＬ０以上のときに、輝度重みｐを持つ第１サブフィールドＳＦ１の発光確率が１００％となり、入力信号のレベルがレベルＬ０より低くなると、そのレベルに応じて発光確率も低くなる。図５から、輝度重みｐ（ｐ＜１）を持つ第１サブフィールドＳＦ１の方が、輝度重み１を持つ第２サブフィールドＳＦ２よりも、発光確率が高いことが分かる。
【００５４】
サブフィールドに初期化期間を設けない場合には、上述のように、書込み放電において放電不良が発生する可能性が高くなる。しかし、図４に示される駆動では、輝度重みｐ（ｐ＜１）を持つ第１サブフィールドＳＦ１を備えることにより、各放電セルの発光確率が上昇する。放電セルが発光すると、その発光により放電セルの電荷が活性化されることから、各放電セルの発光確率が上昇することにより、初期化期間を設けなくても放電不良の発生を防止することが可能になる。
【００５５】
第１サブフィールドＳＦ１では、上述のように、維持期間が設けられていない。第１サブフィールドＳＦ１では、維持パルスによる維持放電ではなくて、書込み期間における書込み放電によって、輝度重みｐの発光を実現している。輝度重みｐを持つ第１サブフィールドＳＦ１では、輝度重みｐが小さいため映像に対する輝度としての寄与は殆どない。しかしながら、発明者らの観察によると、上述のように、第１サブフィールドＳＦ１において輝度重みｐの発光が隣接する画素で同時に行われると、目立つ輝点が発生し、画質が低下することが明らかとなった。
【００５６】
そこで、この実施形態では、輝度重みｐ（ｐ＜１）を持つ第１サブフィールドＳＦ１を備えることにより放電不良発生を防止しつつ、信号処理部１００により第１サブフィールドＳＦ１において隣接する画素が同時に点灯しないようにして、輝点の発生を抑制している。本実施形態において、第１サブフィールドＳＦ１は、特定サブフィールドの一例に対応する。
【００５７】
図６は、図１に示される信号処理部１００の構成を示すブロック図である。信号処理部１００は、図６に示されるように、第１サブフィールド（ＳＦ）階調補正部２１０、縦長誤差拡散処理部２２０、サブフィールド変換部２４０、第１サブフィールド（ＳＦ）間引き部２５０を備える。第１サブフィールド階調補正部２１０は、入力される画像信号Ｒi，Ｇi，Ｂiに対して補正を行って補正信号Ｒc，Ｇc，Ｂcを生成し、生成した補正信号Ｒc，Ｇc，Ｂcを同期信号Ｓsyncとともに縦長誤差拡散処理部２２０に出力する。縦長誤差拡散処理部２２０は、入力される補正信号Ｒc，Ｇc，Ｂcに基づき、縦方向に点灯又は消灯が連続するように縦長の誤差拡散処理を行い、処理後の拡散信号Ｒdf，Ｇdf，Ｂdfをサブフィールド変換部２４０に出力する。サブフィールド変換部２４０は、入力される拡散信号Ｒdf，Ｇdf，Ｂdfからサブフィールドデータに変換する公知の変換処理を行い、変換処理後のサブフィールドデータＲsf1，Ｇsf1，Ｂsf1を第１サブフィールド間引き部２５０に出力する。第１サブフィールド間引き部２５０は、第１サブフィールドＳＦ１のサブフィールドデータＲsf1，Ｇsf1，Ｂsf1に対し、５０％の間引き処理を行い、間引き処理後のサブフィールドデータＲsf2，Ｇsf2，Ｂsf2を駆動信号生成部１１０に出力する。本実施形態において、第１サブフィールド階調補正部２１０は、階調補正部の一例に対応し、縦長誤差拡散処理部２２０は、誤差拡散処理部の一例に対応し、第１サブフィールド間引き部２５０は、間引き処理部の一例に対応する。以下、図面を参照して、第１サブフィールド階調補正部２１０、縦長誤差拡散処理部２２０及び第１サブフィールド間引き部２５０が詳述される。
【００５８】
図７は、第１サブフィールド階調補正部２１０の機能を説明する模式図である。図７において、レベルＬ３は、第１サブフィールドＳＦ１（輝度重みｐ）が５０％点灯する入力信号のレベルであり、レベルＬ４は、第１サブフィールドＳＦ１（輝度重みｐ）が１００％点灯する入力信号のレベルである。また、図７に破線で示される輝度曲線Ｐ１は、入力信号に対して補正しない状態を示す。
【００５９】
第１サブフィールド階調補正部２１０は、補正なしを表す輝度曲線Ｐ１に対して、輝度曲線Ｐ２で示されるように、入力信号レベルが増大するように補正する。具体的には、第１サブフィールド階調補正部２１０は、無補正状態では第１サブフィールドＳＦ１が５０％点灯する信号レベルを、１００％点灯するように、５０％分だけ、かさ上げする補正を行う。また、第１サブフィールドＳＦ１が０％から５０％点灯する信号レベルでは、第１サブフィールド階調補正部２１０は、
出力信号レベル＝入力信号レベル×２
とする補正を行う。また、入力信号のレベルが、第１サブフィールドＳＦ１が５０％以上点灯するレベルでは、第１サブフィールド階調補正部２１０は、元の入力信号レベルに第１サブフィールドＳＦ１が５０％点灯する分だけかさ上げする補正を行う。
【００６０】
この第１サブフィールド階調補正部２１０の増大補正によって、第１サブフィールド間引き部２５０が、第１サブフィールドＳＦ１に対して、５０％の間引き処理を行うと、元の「補正無し」の輝度曲線Ｐ１に一致することとなる。
【００６１】
図７に示される輝度曲線Ｐ３は、比較例として、第１サブフィールド階調補正部２１０による補正を行うことなく、第１サブフィールド間引き部２５０により５０％の間引き処理を行ったときの輝度に相当する出力信号レベルを示す。
【００６２】
図８は、縦長誤差拡散処理部２２０の構成を示すブロック図である。縦長誤差拡散処理部２２０による処理は、Ｒ，Ｇ，Ｂ信号それぞれについて行われるが、説明の便宜上、図８には、Ｒ信号についての構成のみが示されている。
【００６３】
入力された補正信号Ｒcは、整数部と小数部に振り分けられる。小数部は加算器２２１に送られ、整数部は加算器２２５に送られる。加算器２２１は、Ｔ遅延バッファ２２３とライン遅延バッファ２２４とからそれぞれ入力される、拡散された誤差と、補正信号Ｒcの小数部とを加算する。加算器２２１の加算結果において、整数に繰り上がった場合は、繰り上がった整数部と小数部とに振り分けられ、整数部は加算器２２５に送られ、小数部は小数振り分け部２２２に送られる。小数振り分け部２２２は、誤差拡散の方向として予め設定された比率で、小数をＴ遅延バッファ２２３とライン遅延バッファ２２４とに振り分ける。Ｔ遅延バッファ２２３は、例えばフリップフロップからなり、入力データを１画素分だけ遅延して加算器２２１に出力する。ライン遅延バッファ２２４は、例えばＳＲＡＭからなり、入力データを１ライン分だけ遅延して加算器２２１に出力する。つまり、Ｔ遅延バッファ２２３により誤差が右隣の画素に伝播され、ライン遅延バッファ２２４により誤差が真下の画素に伝播される。
【００６４】
加算器２２５は、誤差拡散処理の結果である整数部をライン遅延バッファ２２６及び排他的論理和処理部２２７に出力する。ライン遅延バッファ２２６は、例えばＳＲＡＭからなり、入力データを１ライン分だけ遅延して排他的論理和処理部２２７に出力する。排他的論理和処理部２２７は、入力される２ライン分のデータ、つまり現在の注目画素のデータと、注目画素の１ライン上の画素のデータ（１ライン過去のデータ）とについて、第１サブフィールドＳＦ１に対応する１ビット目のデータの差分を誤差として振り分ける。排他的論理和処理部２２７は、振り分けた誤差をライン遅延バッファ２２８に出力し、振り分けた誤差の残りをライン遅延バッファ２２９に出力する。ライン遅延バッファ２２８は、例えばＳＲＡＭからなり、入力データを１ライン分だけ遅延して加算器２２１に出力する。ライン遅延バッファ２２９は、例えばＳＲＡＭからなり、入力データを１ライン分だけ遅延して出力ラインセレクタ２３０に出力する。出力ラインセレクタ２３０は、入力されるデータを順に、誤差拡散処理結果の拡散信号Ｒdf，Ｇdf，Ｂdfとして、サブフィールド変換部２４０に送る。
【００６５】
図９乃至図１３は、図８に示される縦長誤差拡散処理部２２０の動作を説明するための図である。なお、図９乃至図１３では、説明の簡単化のために、全ての入力データ＝０．５とし、誤差を１００％真下方向に伝播させるようにしている。つまり、小数振り分け部２２２は、入力された小数を全てライン遅延バッファ２２４に出力する。
【００６６】
最初に、縦長誤差拡散処理部２２０による誤差拡散処理の概要が説明される。この誤差拡散処理では、通常の誤差拡散処理に続いて、整数部の１ビット目（第１サブフィールドＳＦ１に相当）を２ライン単位で共通にする処理が行われる。すなわち、通常の誤差拡散処理は、加算器２２１，２２５、小数振り分け部２２２、Ｔ遅延バッファ２２３及びライン遅延バッファ２２４により行われる。この通常の誤差拡散処理の結果をライン遅延バッファ２２６により１ライン遅延させて、排他的論理和処理部２２７により２ライン分の誤差拡散処理の結果を比較する。両者の１ビット目が異なれば、誤差として下のラインに送る。そして、ライン遅延バッファ２２９により、１ラインずつ誤差拡散処理の結果を出力する。
【００６７】
次に、図９を用いて、第１ラインＬＮ１のデータが入力されたときの動作が説明される。第１ラインＬＮ１の入力データ＝０．５が入力されると、整数部＝０と小数部＝０．５とに振り分けられる。小数部＝０．５は加算器２２１に送られ、加算器２２１で０が加算されて、誤差加算結果＝０．５が得られる。その結果、整数部の繰り上がり＝０と、小数部＝０．５とに振り分けられ、小数部＝０．５が小数振り分け部２２２に送られる。小数振り分け部２２２は、上述のように、１００％をライン遅延バッファ２２４に振り分けるため、Ｔ遅延誤差＝０となり、ライン遅延誤差＝０．５となる。一方、加算器２２１の加算結果である整数部の繰り上がり＝０であるため、加算器２２５の加算結果による誤差拡散処理結果としての出力＝０となる。
【００６８】
次に、図１０を用いて、第２ラインＬＮ２のデータが入力されたときの動作が説明される。第２ラインＬＮ２の入力データ＝０．５が入力されると、整数部＝０と小数部＝０．５とに振り分けられる。小数部＝０．５は加算器２２１に送られる。ここで、加算器２２１には、ライン遅延バッファ２２４から、上のライン、つまり第１ラインＬＮ１のライン遅延誤差＝０．５（図９参照）が入力される。また、加算器２２１には、Ｔ遅延バッファ２２３から、左隣の画素からのＴ遅延誤差＝０（図９参照）が入力される。よって、加算器２２１による誤差加算結果＝１．０が得られる。その結果、整数部の繰り上がり＝１と、小数部＝０とに振り分けられ、小数部＝０が小数振り分け部２２２に送られる。その結果、小数振り分け部２２２の出力は、Ｔ遅延誤差＝０、ライン遅延誤差＝０となる。
【００６９】
一方、加算器２２１の加算結果による整数部の繰り上がり＝１であるため、加算器２２５の加算結果による誤差拡散処理結果としての出力＝１となり、これが第２ラインＬＮ１の出力＝１として、排他的論理和処理部２２７に送られる。同時に、ライン遅延バッファ２２６から、１ライン分遅延された第１ラインＬＮ１の出力＝０（図９参照）が、排他的論理和処理部２２７に送られる。第１ラインＬＮ１の出力と第２ラインＬＮ２の出力との差分＝１であるので、排他的論理和処理部２２７からライン遅延バッファ２２８に、第１サブフィールドＳＦ１の差分＝１が送られる。一方、排他的論理和処理部２２７から、第１ラインＬＮ１の出力＝０が出力ラインセレクタ２３０に送られるとともに、第２ラインＬＮ２の出力＝０がライン遅延バッファ２２９に送られる。その結果、出力ラインセレクタ２３０から第１ラインＬＮ１の出力＝０が出力される。
【００７０】
次に、図１１を用いて、第３ラインＬＮ３のデータが入力されたときの動作が説明される。第３ラインＬＮ３の入力データ＝０．５が入力されると、整数部＝０と小数部＝０．５とに振り分けられる。小数部＝０．５は加算器２２１に送られる。ここで、加算器２２１には、ライン遅延バッファ２２４から、上のライン、つまり第２ラインＬＮ２のライン遅延誤差＝０（図１０参照）が入力される。また、加算器２２１には、Ｔ遅延バッファ２２３から、左隣の画素からのＴ遅延誤差＝０（図１０参照）が入力される。さらに、加算器２２１には、ライン遅延バッファ２２８から、第１サブフィールドＳＦ１の差分＝１（図１０参照）が入力される。よって、加算器２２１による誤差加算結果＝１．５が得られる。その結果、整数部の繰り上がり＝１と、小数部＝０．５とに振り分けられ、小数部＝０．５が小数振り分け部２２２に送られる。その結果、小数振り分け部２２２の出力は、Ｔ遅延誤差＝０、ライン遅延誤差＝０．５となる。
【００７１】
一方、加算器２２１の加算結果による整数部の繰り上がり＝１であるため、加算器２２５の加算結果による誤差拡散処理結果としての出力＝１となり、ライン遅延バッファ２２６に送られる。一方、ライン遅延バッファ２２９から、１ライン分遅延された第２ラインＬＮ２の出力＝０（図１０参照）が、出力ラインセレクタ２３０に送られる。その結果、出力ラインセレクタ２３０から第２ラインＬＮ２の出力＝０が出力される。
【００７２】
次に、図１２を用いて、第４ラインＬＮ４のデータが入力されたときの動作が説明される。第４ラインＬＮ４の入力データ＝０．５が入力されると、整数部＝０と小数部＝０．５とに振り分けられる。小数部＝０．５は加算器２２１に送られる。ここで、加算器２２１には、ライン遅延バッファ２２４から、上のライン、つまり第３ラインＬＮ３のライン遅延誤差＝０．５（図１１参照）が入力される。また、加算器２２１には、Ｔ遅延バッファ２２３から、左隣の画素からのＴ遅延誤差＝０（図１１参照）が入力される。よって、加算器２２１による誤差加算結果＝１．０が得られる。その結果、整数部の繰り上がり＝１と、小数部＝０とに振り分けられ、小数部＝０が小数振り分け部２２２に送られる。その結果、小数振り分け部２２２の出力は、Ｔ遅延誤差＝０、ライン遅延誤差＝０となる。
【００７３】
一方、加算器２２１の加算結果による整数部の繰り上がり＝１であるため、加算器２２５の加算結果による誤差拡散処理結果としての出力＝１となり、これが第４ラインＬＮ４の出力＝１として、排他的論理和処理部２２７に送られる。同時に、ライン遅延バッファ２２６から、１ライン分遅延された第３ラインＬＮ３の出力＝１（図１１参照）が、排他的論理和処理部２２７に送られる。第３ラインＬＮ１の出力と第２ラインＬＮ２の出力との差分＝０であるので、排他的論理和処理部２２７からライン遅延バッファ２２８に、第１サブフィールドＳＦ１の差分＝０が送られる。一方、排他的論理和処理部２２７から、第３ラインＬＮ３の出力＝１が出力ラインセレクタ２３０に送られるとともに、第４ラインＬＮ４の出力＝１がライン遅延バッファ２２９に送られる。その結果、出力ラインセレクタ２３０から第３ラインＬＮ３の出力＝１が出力される。
【００７４】
次に、図１３を用いて、第５ラインＬＮ５のデータが入力されたときの動作が説明される。第５ラインＬＮ５の入力データ＝０．５が入力されると、整数部＝０と小数部＝０．５とに振り分けられる。小数部＝０．５は加算器２２１に送られる。ここで、加算器２２１には、ライン遅延バッファ２２４、Ｔ遅延バッファ２２３、及びライン遅延バッファ２２８から入力される誤差はいずれも誤差＝０であるので、加算器２２１による誤差加算結果＝０．５が得られる。その結果、整数部の繰り上がり＝０と、小数部＝０．５とに振り分けられ、小数部＝０．５が小数振り分け部２２２に送られる。その結果、小数振り分け部２２２の出力は、Ｔ遅延誤差＝０、ライン遅延誤差＝０．５となる。
【００７５】
一方、加算器２２１の加算結果による整数部の繰り上がり＝０であるため、加算器２２５の加算結果による誤差拡散処理結果としての出力＝０となり、ライン遅延バッファ２２６に送られる。一方、ライン遅延バッファ２２９から、１ライン分遅延された第４ラインＬＮ４の出力＝１（図１２参照）が、出力ラインセレクタ２３０に送られる。その結果、出力ラインセレクタ２３０から第４ラインＬＮ４の出力＝１が出力される。
【００７６】
以上の処理によって、通常の誤差拡散処理では、小数の階調０．５が整数の階調０，１，０，１，０，１，０，１，・・・のハーフトーンで出力されていたものが、縦長粒子となって、０，０，１，１，０，０，１，１，・・・と出力される。つまり、列方向（第２方向）の画素が２個ずつ同時に点灯または消灯となる。
【００７７】
図１４は、第１サブフィールド間引き部２５０の構成を示すブロック図である。図１５は、市松状の間引き処理を説明する模式図である。図１５（ａ）は入力画像の一例を示し、図１５（ｂ）は縦長誤差拡散処理部２２０による誤差拡散処理結果を示し、図１５（ｃ）は市松状の間引き処理による処理結果を示し、図１５（ｄ）は市松状に選択された補正対象画素を示す。図１６は、インターレース状の間引き処理を説明する模式図である。図１６（ａ）は入力画像の一例を示し、図１６（ｂ）は縦長誤差拡散処理部２２０による誤差拡散処理結果を示し、図１６（ｃ）はインターレース状の間引き処理による処理結果を示し、図１６（ｄ）はインターレース状に選択された補正対象画素を示す。図１５及び図１６では、例えば入力画像信号がＲ信号とされ、Ｒ画素の点灯状態が示されているが、Ｇ，Ｂ画素についても同様である。図１４ないし図１６を用いて、第１サブフィールド間引き部２５０による間引き処理が説明される。
【００７８】
第１サブフィールド間引き部２５０は、座標カウンタ２５１、マスク信号発生部２５２、信号変換部２５３、マスク判定部２５４、第１サブフィールド（ＳＦ）マスク部２５５を備える。座標カウンタ２５１は、同期信号Ｓsyncに基づき、画素の座標をカウントする。信号変換部２５３は、サブフィールドデータＲsf1，Ｇsf1，Ｂsf1を元の拡散信号Ｒdf，Ｇdf，Ｂdfに戻す変換処理を行い、処理結果の拡散信号Ｒdf，Ｇdf，Ｂdfをマスク信号発生部２５２及びマスク判定部２５４に出力する。
【００７９】
マスク信号発生部２５２は、座標カウンタ２５１からのカウント値に基づき、補正対象画素の信号レベルをゼロに補正するマスク信号を発生し、マスク判定部２５４に出力する。マスク信号発生部２５２は、図１５（ｄ）に示されるように、マトリクス状に配列された画素から市松状に選択された画素を補正対象画素とする第１マスク信号を発生する。また、マスク信号発生部２５２は、図１６（ｄ）に示されるように、マトリクス状に配列された画素のうち、インターレース状に選択された画素列、つまり、行方向（第１方向）に配列された画素列が列方向（第２方向）に１列おきに選択された選択画素列Ｐｃ１１，Ｐｃ１２を補正対象画素とする第２マスク信号を発生する。
【００８０】
マスク判定部２５４は、信号変換部２５３からの拡散信号Ｒdf，Ｇdf，Ｂdfのレベルに基づき、間引き処理を行うか行わないかを判定し、間引き処理を行うと判定したときは、マスク信号発生部２５２から送られるマスク信号を第１サブフィールドマスク部２５５に送る。例えば、マスク判定部２５４は、拡散信号Ｒdf，Ｇdf，Ｂdfのレベルが特定階調以上の場合には間引き処理を行わないと判定する。特定階調は、例えば、第１サブフィールドＳＦ１を間引くことによる輝度変化が無視できる階調を言う。例えば、特定階調は、第１サブフィールドＳＦ１だけでなく、輝度重みが一つ上の第２サブフィールドＳＦ２及び輝度重みが二つ上の第３サブフィールドＳＦ３が全点灯する階調を言う。間引き処理を行わない場合には、第１サブフィールド階調補正部２１０により輝度が５０％上昇し、縦長誤差拡散処理部２２０により隣接する２画素が同時に点灯する箇所が存在している。しかし、第１〜第３サブフィールドＳＦ１，ＳＦ２，ＳＦ３が全点灯する階調以上の階調では、輝点が目立たないため、間引き処理を行わなくても、画質が低下することはない。
【００８１】
また、マスク判定部２５４は、例えば、消灯継続時間が予め設定された設定時間を超えると黒時間判定部１５０により判定されたときは、補正対象画素をインターレース状に選択された画素とする第２間引き処理を行うと判定する。これによって、消灯継続時間が長いため放電不良の発生確率が高くなるが、市松状の間引き処理に比べて、行方向（第１方向）に隣接する画素について放電不良の発生を抑制することができる。また、マスク判定部２５４は、例えば、消灯継続時間が予め設定された設定時間以下と黒時間判定部１５０により判定されたときは、補正対象画素を市松状に選択された画素とする第１間引き処理を行うと判定する。これによって、行方向（第１方向）に隣接する画素、及び、列方向（第２方向）に隣接する画素が、同時に点灯しないため、第２間引き処理に比べて、画質を向上することができる。
【００８２】
また、マスク判定部２５４は、例えば、映像信号の平均階調が予め設定された閾値以上と階調判定部１６０により判定されたときは、補正対象画素を市松状に選択された画素とする第１間引き処理を行うと判定する。映像信号の平均階調が閾値以上であるため、各画素の点灯確率が高いことから、市松状の間引き処理を行うことにより、放電不良の発生が増大することなく、画質を向上することができる。また、マスク判定部２５４は、例えば、映像信号の平均階調が予め設定された閾値未満と階調判定部１６０により判定されたときは、補正対象画素をインターレース状に選択された画素とする第２間引き処理を行うと判定する。映像信号の平均階調が閾値未満であるため、各画素の点灯確率が低いが、インターレース状の間引き処理を行うことにより、放電不良の発生を抑制することができる。
【００８３】
また、マスク判定部２５４は、第１間引き処理を行うと判定したときは、補正対象画素を市松状に選択された画素とする第１マスク信号を第１サブフィールドマスク部２５５に出力し、第２間引き処理を行うと判定したときは、インターレース状に選択された画素列を補正対象画素とする第２マスク信号を第１サブフィールドマスク部２５５に出力する。
【００８４】
第１サブフィールドマスク部２５５は、マスク判定部２５４から送られるマスク信号を用いて、入力されるサブフィールドデータＲsf1，Ｇsf1，Ｂsf1のうち第１サブフィールドＳＦ１のデータに対して間引き処理を行って、サブフィールドデータＲsf2，Ｇsf2，Ｂsf2を生成し、駆動信号生成部１１０（図１）に出力する。
【００８５】
例えば図１５（ａ）に示される入力画像に対して、縦長誤差拡散処理部２２０による誤差拡散処理が行われると、図１５（ｂ）に示される処理結果が得られる。図１５（ｂ）には、赤色サブ画素Ｐｒ１と、赤色サブ画素Ｐｒ１に行方向（第１方向）に隣接する赤色サブ画素Ｐｒ２と、赤色サブ画素Ｐｒ１に列方向（第２方向）に隣接する赤色サブ画素Ｐｒ３と、行方向に配列された画素列Ｐｃ１、Ｐｃ２と、が示されている。図１５（ｂ）に示されるように、列方向に互いに隣接し、画素列Ｐｃ１の画素と画素列Ｐｃ２の画素とからなる一対の画素が、同時に点灯又は消灯となっている。例えば、赤色サブ画素Ｐｒ１と赤色サブ画素Ｐｒ３とが同時に点灯となっている。図１５（ｂ）に示される状態で、図１５（ｄ）に示される市松状のマスク信号により、第１サブフィールドＳＦ１の各画素の映像信号がマスクされると、各画素が図１５（ｃ）に示されるような状態とされる。なお、赤色サブ画素は、赤色の光を発光する放電セルＤＣｒ（図２）に対応する。
【００８６】
例えば図１６（ａ）に示される入力画像に対して、縦長誤差拡散処理部２２０による誤差拡散処理が行われると、図１５（ｂ）と同様に、図１６（ｂ）に示される処理結果が得られる。図１６（ｂ）に示される状態で、図１６（ｄ）に示されるインターレース状のマスク信号により、第１サブフィールドＳＦ１の各画素の映像信号がマスクされると、各画素が図１６（ｃ）に示される状態とされる。本実施形態において、マスク判定部２５４は、第１判定部の一例に対応する。また、赤色サブ画素Ｐｒ１を含む画素が第１画素の一例に対応し、赤色サブ画素Ｐｒ２を含む画素が第２画素の一例に対応し、赤色サブ画素Ｐｒ３を含む画素が第３画素の一例に対応し、画素列Ｐｃ１が第１画素列に対応し、画素列Ｐｃ２が第２画素列に対応する。
【００８７】
図１７は、本実施形態による各画素の点灯状態を模式的に示す図である。図１８乃至図２２は、比較例による各画素の点灯状態を模式的に示す図である。図１７ないし図２２では、例えばＲ画素の点灯状態が示されている。図１７ないし図２２を用いて、本実施形態の効果が説明される。
【００８８】
図１９は、サブフィールドに初期化期間を設けず、かつ、輝度重みｐのサブフィールド（つまり本実施形態の第１サブフィールドＳＦ１）を含まず、輝度重み１以上のサブフィールド（例えば本実施形態の第２〜第８サブフィールドＳＦ２〜ＳＦ８）のみを含む場合において、通常の誤差拡散処理を行った場合を模式的に示している。図１９（ａ）は入力画像を示す。図１９（ｂ）は、図１９（ａ）に示される入力画像に対して誤差拡散処理を行った状態を示す。図１９（ｂ）の下段に、各画素の信号レベルがハッチングの濃淡により模式的に示されている。図１９（ｃ）は、画面における点灯状態を示す。図１９（ｃ）の下段に、各画素の点灯状態がハッチングの濃淡により模式的に示されている。図１９（ｂ）と図１９（ｃ）とを比較して分かるように、初期化期間が設けられていないため、放電不良が発生して、各画素が点灯しにくくなっている。
【００８９】
図２０は、サブフィールドに初期化期間を設けず、かつ、輝度重みｐのサブフィールド（つまり本実施形態の第１サブフィールドＳＦ１）を含む場合において、通常の誤差拡散処理を行った場合を模式的に示している。図２０（ａ）は入力画像を示す。図２０（ｂ）は、図２０（ａ）に示される入力画像に対して誤差拡散処理を行った状態を示す。図２０（ｂ）の下段に、各画素の信号レベルがハッチングの濃淡により模式的に示されている。図２０（ｃ）は、画面における点灯状態を示す。図２０（ｃ）の下段に、各画素の点灯状態がハッチングの濃淡により模式的に示されている。図２０（ｃ）でも放電不良は発生しているものの、輝度重みｐのサブフィールドにより各画素の点灯確率が上昇しているため、図１９（ｃ）に比べて減少している。一方、隣接画素と連続して点灯している箇所に輝点が発生しているため、輝度重みｐのサブフィールドにおいて階調性が低下している。
【００９０】
図２１及び図２２は、特定サブフィールドのライン数を間引き、間引いた分だけ維持期間を延ばすことで輝度を保つようにした例を示す。図２１（ａ）は、誤差拡散処理を行った後の各画素の点灯状態の一例を示す。図２１（ａ）の状態において、１／２ラインの間引き処理として奇数ラインを消灯すると、図２１（ｂ）に示される状態になる。図２１（ｂ）では、１／２ラインの間引き処理によって、明るさが図２１（ａ）の状態に比べて１／２未満と非常に暗くなっている。この間引き処理の後で、間引かれなかったサブフィールドの維持期間を２倍にすると、図２１（ｃ）に示される状態となる。図２１（ｂ）の間引き処理の時点で画面が暗くなりすぎているため、図２１（ｃ）では、点灯している画素の維持期間を２倍にしても、画面全体は暗い状態のままとなっている。
【００９１】
一方、図２１（ａ）に示される状態に対して、１／２ラインの間引き処理として偶数ラインを消灯すると、図２１（ｄ）に示される状態になる。図２１（ｄ）では、１／２の間引き処理を行っても、明るさが図２１（ａ）の状態に比べて１／２を超えており、１／２まで暗くなっていない。この間引き処理の後で、間引かれなかったサブフィールドの維持期間を２倍にすると、図２１（ｅ）に示される状態となる。図２１（ｄ）の間引き処理の時点で画面が明るいため、図２１（ｅ）では、点灯している画素の維持期間を２倍にすると、画面全体が明るすぎる状態となる。
【００９２】
図２２（ａ）は、誤差拡散処理を行った後の各画素の点灯状態の別の例を示す。図２２（ａ）の状態において、１／２ラインの間引き処理として奇数ラインを消灯すると、図２２（ｂ）に示されるように、画面全体が消灯して非常に暗くなっている。このため、間引かれなかったサブフィールドの維持期間を２倍にしても、図２２（ｃ）に示されるように、画面全体は暗い状態のままとなっている。一方、図２２（ａ）に示される状態に対して、１／２ラインの間引き処理として偶数ラインを消灯すると、図２２（ｄ）に示されるように、図２２（ａ）と変わっていない。この間引き処理の後で、間引かれなかったサブフィールドの維持期間を２倍にすると、図２２（ｅ）に示されるように、画面全体が明るすぎる状態となる。このように、図２１及び図２２の例では、階調性が低下している。
【００９３】
図１８は、本実施形態のサブフィールド構成において、通常の誤差拡散処理を行った場合を模式的に示す。図１８（ａ）は、入力された画像信号を示しており、各画素の信号レベルがｐ／４（つまり第１サブフィールドＳＦ１の輝度重みｐの１／４）の画像信号を示す。図１８（ａ）に示される画像信号が入力されたときに、通常の誤差拡散処理を行うと、図１８（ｂ）に示されるように、第１サブフィールドＳＦ１の画素が１／４の比率（図１８（ｂ）では４個）で点灯する。
【００９４】
図１７を参照して、本実施形態が説明される。図１７（ａ）は、入力された画像信号を示し、図１８（ａ）と同様に、各画素の信号レベルがｐ／４（つまり第１サブフィールドＳＦ１の輝度重みｐの１／４）の画像信号を示す。図１７（ａ）に示される画像信号が入力されたとき、まず、図６及び図７に関連して説明されたように、第１サブフィールド階調補正部２１０は、信号レベルがｐ／２に増大するように画像信号を補正する。図１７（ｂ）では、ハッチングの濃淡により図１７（ａ）に対する信号レベルの増大が模式的に示されている。
【００９５】
次いで、図６及び図８乃至図１３に関連して説明されたように、縦長誤差拡散処理部２２０は、第１サブフィールドＳＦ１の各画素が、列方向に配列される画素が、行方向の２ラインごとに連続して点灯又は消灯となるように、縦長の誤差拡散処理が行われる。その結果、図１７（ｃ）に示されるように、第１サブフィールドＳＦ１の各画素の点灯又は消灯は、列方向に２個ずつ連続している。また、この誤差拡散処理によって、第１サブフィールドＳＦ１の画素が１／２の比率（図１７（ｂ）では８個）で点灯する。
【００９６】
次いで、図６及び図１４乃至図１６に関連して説明されたように、第１サブフィールド間引き部２５０は、第１サブフィールドＳＦ１の各画素を市松状又はインターレース状に消灯させる間引き処理を行う。図１７（ｄ）では、インターレース状の間引き処理が行われている。この間引き処理の結果、図１７（ｄ）に示されるように、第１サブフィールドＳＦ１の画素が１／４の比率（図１７（ｄ）では４個）で点灯する。これによって、図１７（ｄ）においても、図１８（ｄ）と同じ結果が得られている。
【００９７】
以上説明されたように、本実施形態では、後段で第１サブフィールドＳＦ１のデータが１／２に間引かれることを前提として、第１サブフィールド階調補正部２１０は、間引かれるサブフィールド（つまり第１サブフィールドＳＦ１）の輝度の１／２に相当する信号レベルを予め加算する。また、誤差拡散処理を行う際は、縦長誤差拡散処理部２２０は、後段で間引きが行われたときに必ず１／２の輝度になるように、列方向に配列される画素が、行方向の２ラインごとに連続して点灯又は消灯となるように、ハーフトーン化を行う。さらに、第１サブフィールド間引き部２５０は、インターレース状又は市松状に間引き処理を行う。インターレース状又は市松状の間引き処理によって、常に２画素中の１画素が間引かれるので、輝度が必ず１／２になる（つまり入力信号のレベルに戻る）ことを保証できる。また、インターレース状又は市松状の間引き処理によって、輝点の発生を防止することができる。その結果、画質の低下を抑制することができる。
【００９８】
また、本実施形態では、輝度重みｐ（ｐ＜１）の第１サブフィールドＳＦ１を備えているため、各画素の点灯確率を上昇させることができる。その結果、初期化期間を設けることなく、放電不良の発生を抑制することができる。
【００９９】
なお、上記実施形態では、図１及び図６等を用いて説明されたように、信号処理部１００は、Ｒ，Ｇ，Ｂ信号ごとに信号処理を行っている。これによって、第１サブフィールドＳＦ１において、隣接する画素が同時に点灯しないようにしている。すなわち、上記実施形態では、補正対象画素を市松状に選択された画素とする第１間引き処理を行うことにより、行方向に隣接する同一色の放電セル、及び、列方向に隣接する同一色の放電セルが同時に点灯するのを防止している。また、上記実施形態では、補正対象画素をインターレース状に選択された画素とする第２間引き処理を行うことにより、列方向に隣接する同一色の放電セルが同時に点灯するのを防止している。しかし、本発明の間引き処理は、これに限られない。
【０１００】
図２３、図２４は、間引き処理の別の形態を概略的に示す模式図である。図２３、図２４は、マトリクス状に配列された画素及び画素に含まれる放電セルを示す。図２３、図２４では、マスクする放電セルが黒で示され、マスクしない放電セルが白で示されている。
【０１０１】
図２３に示される例では、Ｒ，Ｇ，Ｂ信号ごとに、行方向（第１方向）に隣接する同一色の放電セルが１つおきにマスクされて同時に点灯するのを防止している。例えば画素Ｐｘ１の赤色放電セルＤＣｒ１がマスクされ、行方向に隣接する画素Ｐｘ２の赤色放電セルＤＣｒ２がマスクされていない。また、例えば画素Ｐｘ１の緑色放電セルＤＣｇ１がマスクされず、行方向に隣接する画素Ｐｘ２の緑色放電セルＤＣｇ２がマスクされている。また、例えば画素Ｐｘ１の青色放電セルＤＣｂ１がマスクされず、行方向に隣接する画素Ｐｘ２の青色放電セルＤＣｂ２がマスクされている。
【０１０２】
図２４（ａ）に示される例では、行方向（第１方向）に隣接する放電セル、及び、列方向（第２方向）に隣接する放電セルが、同時に点灯するのを防止している。すなわち、隣接する画素間に加えて、同一画素内においても、隣接する放電セルが同時に点灯するのを防止している。例えば、画素Ｐｘ１の赤色放電セルＤＣｒ１がマスクされ、行方向に隣接する緑色放電セルＤＣｇ１がマスクされず、さらに行方向に隣接する青色放電セルＤＣｂ１がマスクされ、さらに行方向に隣接する画素Ｐｘ２の赤色放電セルＤＣｒ２がマスクされていない。また、画素Ｐｘ１に列方向に隣接する画素Ｐｘ３において、赤色放電セルＤＣｒ３がマスクされず、緑色放電セルＤＣｇ３がマスクされ、青色放電セルＤＣｂ３がマスクされていない。図２４（ａ）に示される形態において、画素Ｐｘ１が第１画素の一例に対応し、画素Ｐｘ１に行方向に隣接する画素Ｐｘ２が第２画素の一例に対応し、画素Ｐｘ１に列方向に隣接する画素Ｐｘ３が第３画素の一例に対応する。また、画素Ｐｘ１の青色放電セルＤＣｂ１が第１放電セルの一例に対応し、青色放電セルＤＣｂ１に行方向に隣接する赤色放電セルＤＣｒ２が第２放電セルの一例に対応し、青色放電セルＤＣｂ１に列方向に隣接する青色放電セルＤＣｂ３が第３放電セルの一例に対応する。また、画素Ｐｘ１の青色放電セルＤＣｂ１に隣接する画素Ｐｘ１の緑色放電セルＤＣｇ１が第４放電セルの一例に対応する。
【０１０３】
図２４（ｂ）に示される例では、行方向（第１方向）に隣接する放電セルが、同時に点灯するのを防止している。また、図２４（ｃ）に示される例では、列方向（第２方向）に隣接する放電セルが、同時に点灯するのを防止している。
【０１０４】
また、上記実施形態では、黒時間判定部１５０を備えているが、黒時間判定部１５０は必須の構成ではない。代替的に、黒時間判定部１５０を設けなくてもよい。同様に、上記実施形態では、階調判定部１６０を備えているが、階調判定部１６０は必須の構成ではない。代替的に、階調判定部１６０を設けなくてもよい。また、上記実施形態では、マスク判定部２５４を備え、マスク処理を行うか否かを判定しているが、代替的に、マスク判定部２５４を設けずに、第１間引き処理又は第２間引き処理のいずれかを常に行うようにしてもよい。
【産業上の利用可能性】
【０１０５】
本発明は、初期化期間を設けることなく放電不良の発生を抑制し、しかも画質の低下を防止することができるので、プラズマディスプレイ装置及びプラズマディスプレイパネルの駆動方法として有用である。
【符号の説明】
【０１０６】
１０  パネル
２２  走査電極
２３  維持電極
２４  表示電極対
３２  データ電極
１１０  駆動信号生成部
１２０  データ書込駆動部
１３０  維持駆動部
１４０  消去駆動部
１５０  黒時間判定部
１６０  階調判定部
２１０  第１サブフィールド階調補正部
２２０  縦長誤差拡散処理部
２５０  第１サブフィールド間引き部
ＤＣ  放電セル
【図１】
2012242593.tif 000003
【図２】
2012242593.tif 000004
【図３】
2012242593.tif 000005
【図４】
2012242593.tif 000006
【図５】
2012242593.tif 000007
【図６】
2012242593.tif 000008
【図７】
2012242593.tif 000009
【図８】
2012242593.tif 000010
【図９】
2012242593.tif 000011
【図１０】
2012242593.tif 000012
【図１１】
2012242593.tif 000013
【図１２】
2012242593.tif 000014
【図１３】
2012242593.tif 000015
【図１４】
2012242593.tif 000016
【図１５】
2012242593.tif 000017
【図１６】
2012242593.tif 000018
【図１７】
2012242593.tif 000019
【図１８】
2012242593.tif 000020
【図１９】
2012242593.tif 000021
【図２０】
2012242593.tif 000022
【図２１】
2012242593.tif 000023
【図２２】
2012242593.tif 000024
【図２３】
2012242593.tif 000025
【図２４】
2012242593.tif 000026